(57)【特許請求の範囲】
【請求項１】
足の甲を掛けて保持するための甲バンド（２）が前側甲バンドと後側甲バンドの２本からなり、
ソール（１）の左右両側部にそれぞれ前側甲バンドの基部（４，４）を固定し、その両基部（４，４）にそれぞれ環（８ｂ，８ｃ）を取り付け、両環（８ｂ，８ｃ）に、使用者の所属グループ別に異なる色彩を有する前側甲バンドの識別用前側中央部（６）を掛け通して任意長で折り返してループ状にし、該識別用前側中央部（６）の両端部どうしが重なった所を同所に設けられた係止部材（１０）で長さ調整可能にかつ取替可能に止めるようにしたサンダル。
【請求項２】
ソール（１）の左右両側部にそれぞれ後側甲バンドの基部（３，３）を固定し、その一方の基部（３）に環（８ａ）を取り付け、その他方の基部（３）に後側甲バンドの中央部（５）の一端を固定し、該中央部（５）の途中部を前記一方の基部（３）の環（８ａ）に掛け通して任意長で折り返し、該中央部（５）の途中部と一端部とが重なった所を同所に設けられた面ファスナで止めるようにした請求項１記載のサンダル。
【請求項３】
識別用前側中央部（６）の一部に使用者の名前、番号、部署等を記入できる名前欄（１１）を設けた請求項１又は２記載のサンダル。
【発明の詳細な説明】
【０００１】
【発明の属する技術分野】
本発明は、サンダルに関するものである。
【０００２】
【従来の技術】
サンダルは、足を載せるためのソールの左右両側部に対し、足の甲を掛けて保持するための甲バンドの両端が縫い付けや接着等により固定されてなる。従来の甲バンドには、バンド長を変えられないものとバンド長を変えられるものとの二種類があるが、前者は勿論のこと、後者であってもその甲バンドをソールから取り外すことはできなかった。
【０００３】
【発明が解決しようとする課題】
学校、体育館、公会堂、工場等のように多数の人が同種のサンダルを使用する場所においては、使用者の所属グループ別に（例えば、学年、組、性別、地区、部署等）、何らかの標識によってサンダルを識別できるようにすると便利である。この識別標識として最も簡便で分かりやすいものは色彩である。そこで、従来は、サンダルの甲バンド、ソール又は全体をグループ別に色分けする場合があった。例えば学校において、一年生のサンダルは赤色の甲バンドとし、二年生のサンダルは青色の甲バンドとし、三年生のサンダルは黄色の甲バンドとするいった具合である。
【０００４】
ところが、このように多種類の色彩をもつサンダルを製造するのは、製造管理・在庫管理等が煩雑化するという点で好ましくない。また、所属グループの構成員に変更があったとき、例えば工場での部署が変更されたとき等には、異なる色彩のサンダルに買い替えなければならず、費用が高くつくという問題もあった。また、別の所属グループの構成員からサンダルを譲り受けたとき、例えば兄の六年生が卒業してそのサンダルを弟の四年生が譲り受けたとき等には、甲バンドの色彩が異なるためにそのサンダルを再使用できないという問題もあった。
【０００５】
本発明の目的は、上記課題を解決し、多数の同種のサンダルを使用者の所属グループ別に識別できるようにするとともに、そのためのサンダルの製造管理・在庫管理等も容易化でき、また所属グループの構成員に変更があったとき又は別の所属グループの構成員からサンダルを譲り受けたときには安価な対応で再使用できるサンダルを提供することにある。
【０００６】
【課題を解決するための手段】
上記目的を解決するために、本発明者は、サンダルを使用者の所属グループ別に識別する標識としての色彩を有する識別部材を、取替可能に取り付けてなるサンダルについて検討した。
【０００７】
また、使用者の所属グループ別に異なる色彩を有する識別部材を、多数の同種のサンダルにそれぞれの所属グループ別に取替可能に取り付け、所属グループの構成員に変更があったとき又は別の所属グループの構成員からサンダルを譲り受けたときには、その変更又は譲り受けのあったサンダルについてのみ識別部材を取り替えるようにし、もって多数の同種のサンダルを常に使用者の所属グループ別に識別できるようにする、サンダルの識別方法について検討した。
【０００８】
識別部材は、特に限定されないが、次の１．〜５．を例示できる。但し、足の何れかの部位を保持する機能と前記識別の機能とを併せ持つ識別部材（態様１．〜４．）が好ましい。
１．足の甲を掛けて保持する甲バンドの一部又は全部を識別部材とする。
２．足の甲を締めて保持する紐を識別部材とする。
３．足の踵（アキレス腱周囲部）を取り巻いて保持するヒールバンドの一部又は全部を識別部材とする。
４．足の踵（裏の後部）をクッション性を持って保持する衝撃吸収パッド（ソールの上面後部に取り付けられる）を識別部材とする。
５．それ自体に足の甲を保持する機能はない飾りバンドを識別部材とする。飾りバンドは履物のいずれの部位（裏は除く）に取り付けるものでもよい。
【０００９】
識別部材が甲バンドの一部又は全部である場合、バンド長を変えられないものでも、バンド長を変えられるものでもよいが、後者の方が使用者の甲の大きさに合わせて任意に調節できる点で好ましい。
【００１０】
識別部材が甲バンドの一部である場合の態様としては、ソールの左右両側部にそれぞれ甲バンドの基部を固定し、両基部の間に識別部材としての甲バンドの識別用中央部を取替可能に取り付けた態様を例示できる。
【００１１】
この態様で取替可能とする手段は、特に限定されないが、甲バンドの両基部に環を取り付け、両環に甲バンドの識別用中央部を掛け通して任意長で折り返し、甲バンドの識別用中央部の重なった所を同所に設けられた係止部材で止めるようにした態様を例示できる。
【００１２】
係止部材としては、特に限定されないが、止める位置を変えることにより甲バンドの識別用中央部の長さを調整可能とする面ファスナ、フック（甲バンドに設けた複数の止め穴の一つに掛ける）、ホック又はボタンを例示できる。
【００１３】
なお、履物としてはサンダル、スリッパ、草履、下駄又は靴等があるが、本発明の思想は多数の人が同種の履物を使用する場所において好適であるから、そのような場所で使用されることが多いサンダル、スリッパ又は運動靴に適用することが好ましい。
以上の検討に基づき、最も好ましい手段としての本発明は、足の甲を掛けて保持するための甲バンド（２）が前側甲バンドと後側甲バンドの２本からなり、ソール（１）の左右両側部にそれぞれ前側甲バンドの基部（４，４）を固定し、その両基部（４，４）にそれぞれ環（８ｂ，８ｃ）を取り付け、両環（８ｂ，８ｃ）に、使用者の所属グループ別に異なる色彩を有する前側甲バンドの識別用前側中央部（６）を掛け通して任意長で折り返してループ状にし、該識別用前側中央部（６）の両端部どうしが重なった所を同所に設けられた係止部材（１０）で長さ調整可能にかつ取替可能に止めるようにしたサンダルとしたものである。
【００１４】
【発明の実施の形態】
図１〜図４は本発明の一実施形態に係るサンダルを示している。このサンダルは、足を載せるためのソール１の左右両側部に対し、足の甲を掛けて保持するための甲バンド２の両端が縫い付けや接着等により固定されてなる。
【００１５】
ソール１は、やや硬質の樹脂又はゴムの成形体よりなる裏側のアウトソール１ａと、軟質の樹脂又はゴムの成形体よりなる間のミッドソール１ｂと、樹脂シート、布、革等よりなる表側のインナソール１ｃとからなるが、特にこの三層構造に限定されるものではなく、例えば二層構造でもよい。
【００１６】
甲バンド２は樹脂シート、布、革等よりなり、ソール１の左右両側部にそれぞれ固定された後側の両基部３及び前側の両基部４と、後側の両基部３の間に取り付けられた後側中央部５と、前側の両基部４の間に取り付けられた識別部材としての識別用前側中央部６（つま先側）と、後側の各基部３と前側の各基部４とを連結して補強する連結部７とから構成されている。後側の一方の基部３の上部と、前側の両基部４の上部とには、金属又は樹脂により長円形に形成された環８ａ，８ｂ，８ｃが取り付けられている。
【００１７】
後側中央部５は、専ら足の甲を掛けて保持する機能を有するもので、その一端が後側の他方の基部３の上部の後側に縫い付けや接着等により固定されており、その途中部が一方の基部３の環８ａに掛け通されて任意長で折り返され、互いに重なった所を同所に設けられた面ファスナ（図示略）で止められている。面ファスナは互いに掛止する鉤側とループ側（図示略）とからなり、ある程度長く設けられているので、止める位置を変えることにより、使用者の甲の大きさに合わせて後側中央部５のバンド長を調整可能となっている。
【００１８】
識別用前側中央部６は、足の甲を掛けて保持する機能と、サンダルを使用者の所属グループ別に識別する機能とを併せ持つもので、使用者の所属グループ別に異なる色彩を有する樹脂シート、布、革等により形成されている。識別用前側中央部６は、その途中部が前側の基部４の両環８ｂ，８ｃに掛け通されて任意長で折り返されてループ状にされ、該識別用中央部６の両端部どうしが互いに重なった所を同所に設けられた面ファスナ１０で止められている。面ファスナは互いに掛止する鉤側１０ａとループ側１０ｂとからなり、ある程度長く設けられているので、止める位置を変えることにより、使用者の甲の大きさに合わせて識別用前側中央部６のバンド長を調整可能となっている。また、識別用前側中央部６は、その一部に使用者の名前、番号、部署等を記入できる名前欄１１が設けられて、名札の機能も併せ持っている。
【００１９】
以上のように構成されたサンダルを採用し、使用者の所属グループ別に異なる色彩を有する識別用前側中央部６を、多数の同種のサンダルにそれぞれの所属グループ別に取替可能に取り付ける。例えば学校において、一年生のサンダルには赤色の識別用前側中央部６を取り付け、二年生のサンダルには青色の識別用前側中央部６を取り付け、三年生のサンダルには黄色の識別用前側中央部６を取り付ける。
【００２０】
そして、所属グループの構成員に変更があったときには、変更があった構成員のサンダルについてのみ識別用前側中央部６を取り替えるようにする。例えば工場において部署が変更されたときには、識別用前側中央部６を変更後の部署を示す色彩のものに取り替えてそのサンダルを再使用する。また、別の所属グループの構成員からサンダルを譲り受けたとき、例えば兄の六年生が卒業してそのサンダルを弟の四年生が譲り受けたとき等には、識別用前側中央部６を四年生を示す色彩のものに取り替えてそのサンダルを再使用する。もって、多数の同種のサンダルを常に使用者の所属グループ別に識別できるようにすることができる。
【００２１】
以上のサンダル及びその識別方法によれば、次のような効果が得られる。
＜１＞  多数の同種のサンダルを使用者の所属グループ別に容易に識別できる。
＜２＞  図４に示す識別用前側中央部６についてのみ、使用者の所属グループ別に異なる色彩を有する多種類のものを製造し、図３に示すサンダルのその他の本体部分については、共通の一種類（勿論サイズは異なる）を製造すればよいので、製造管理・在庫管理等を容易化できる。
＜３＞  所属グループの構成員に変更があったとき又は別の所属グループの構成員から履物を譲り受けたときには、識別用前側中央部６の取り替えで済むので安価に対応でき、そのサンダルを再使用できる。
＜４＞  識別用前側中央部６が痛んだときに（使用時に引張力がかかるので痛みやすい部位である）、取替可能なので安価に対応できる。
＜５＞  識別用前側中央部６はバンド長を変えることができるので、使用者の甲の大きさに合わせることができる。
＜６＞  識別用前側中央部６に名前欄１１を設けたので、名札の機能も併せ持つ。
【００２２】
なお、本発明は上記実施形態に限定されるものではなく、例えば次のように、発明の趣旨から逸脱しない範囲で適宜変更して具体化することもできる。
【００２３】
（１）  後側中央部５も、識別用前側中央部６と同様の取替可能な識別用後側中央部とし（両基部３に環を設ける）、識別用前側中央部６の色彩と、識別用後側中央部の色彩とを組み合わせることにより、サンダルを使用者の分類の見地の異なる２系統の所属グループ別に識別するようにすること。例えば、識別用前側中央部６の色彩で学年を識別し、識別用後側中央部の色彩で組を識別することができる。要するに、取替可能な識別部材を２つ設けて、識別できるグループ数又はグループ態様を増加させるのである。
【００２４】
（２）面ファスナ１０に代えて、フック、ホック又はボタン等を使用してもよい。
【００２５】
【発明の効果】
以上詳述したように、本発明に係るサンダルによれば、甲バンドの識別用前側中央部のみを容易に取替可能であることから、多数の同種のサンダルを使用者の所属グループ別に識別できるようにするとともに、そのためのサンダルの製造管理・在庫管理等も容易化でき、また所属グループの構成員に変更があったとき又は別の所属グループの構成員からサンダルを譲り受けたときには安価な対応で再使用できるという優れた効果を奏する。
【図面の簡単な説明】
【図１】  本発明の実施形態に係るサンダルの斜視図である。
【図２】  同サンダルの平面図である。
【図３】  同サンダルの識別用前側中央部を外した状態の平面図である。
【図４】  同識別用前側中央部の斜視図である。
【符号の説明】
１    ソール
２    甲バンド
３，４    基部
５    後側中央部
６    識別用前側中央部
８ａ，８ｂ，８ｃ    環
１０    面ファスナ
１０ａ  鉤側
１０ｂ  ループ側
１１    名前欄
【図１】
0003749094.tif 000002
【図２】
0003749094.tif 000003
【図３】
0003749094.tif 000004
【図４】
0003749094.tif 000005